(57)【要約】装置は、モジュール・ユニットを有する。該モジュール・ユニットは、装置内の少なくとも２つの操作位置の間で調整され得、各操作位置で装置の外側からアクセスされ得る。
2006526256.tif 000002
【特許請求の範囲】
【請求項１】
モジュール・ユニットを備えられた装置であって、
前記モジュール・ユニットは操作位置に位置付けられ、前記装置の外側からアクセスされ得、
前記モジュール・ユニットは、少なくとも１つの他の操作位置に位置付けられ得、その場合も前記装置の外側からアクセスされ得ること、を特徴とする、
装置。
【請求項２】
前記モジュール・ユニットは、装置のスピンドルに関連して動かされ得る、ことを特徴とする、
請求項１記載の装置。
【請求項３】
前記装置のスピンドルの周囲を回転し得る担体が与えられること、及び、前記モジュール・ユニットは、前記担体に接続され、前記装置のスピンドルの周囲で前記担体を回転することによってその操作位置の間で調整され得ること、を特徴とする、
請求項２記載の装置。
【請求項４】
前記担体は、回転アームとして設計されること、を特徴とする、
請求項３記載の装置。
【請求項５】
前記担体は、回転物体として設計されること、を特徴とする、
請求項３記載の装置。
【請求項６】
前記担体は、各場合において想定されていない前記操作位置を覆うよう設計されること、を特徴とする、
請求項３記載の装置。
【請求項７】
前記モジュール・ユニットは、電気コネクタ・ユニットによって形成されること、を特徴とする、
請求項１記載の装置。
【発明の詳細な説明】
【技術分野】
【０００１】
本発明はモジュール・ユニットを備えた装置に係る。該モジュール・ユニットは、操作位置に位置付けられ、装置の外側からアクセスされ得る。
【背景技術】
【０００２】
上述された装置は、例えば、出願者によって市販された型指定ＭＣ−ｉ２００（登録商標）を有する音響装置に関連して既知である。既知の音響装置は、インターネット・モジュールを有する。インターネット・モジュールは、無線を受信することを可能にさせるものであり、無線は、インターネット上又はデータ・ストリームとしてパケット交換ネットワーク上で送信される。この目的のため、ネットワーク・ジャックは、外側からアクセスされ得るよう、既知の音響装置の筐体の筐体壁の領域に適合され、ネットワーク・コネクタは、ネットワーク・ジャックにプラグを差し込まれ得るようにされる。ネットワーク・コネクタは、ネットワーク・ケーブルを介してネットワークに接続され得る。ネットワーク・ジャックは、ローカルエリアネットワーク接続部として設計され、筐体の後方壁の領域に適合されてインターネット・モジュールに接続される。
【０００３】
ローカルエリアネットワーク接続部又はネットワーク・ジャックが、既知の音響装置の後方の領域に適合されるという事実は、外部からの影響に対してこの領域はよく保護されているという点で一方では有利である。しかし、他方では、ネットワーク・コネクタの単純で速い差込みに関して不利である。これは、ユーザが、容易なように、又は容易にアクセス可能なように、ネットワーク・コネクタに接続することが可能にするよう、略常に音響装置を操作するか又は動かさなければならないためである。かかる操作は不便であり、しばしば扱いにくいため、不利である。これは、ネットワーク・コネクタが、関連されたネットワーク・ケーブルと共に与えられ、ＰＣ又はラップトップ型コンピュータ、又は小型の携帯型音響装置等へのネットワーク接続を作る目的で、追加的に他の装置に接続されるようにされる。多種の装置の間のネットワーク・コネクタの頻繁な、又は反復する変更は、特に実用的ではなく、これは不利である。
【発明の開示】
【発明が解決しようとする課題】
【０００４】
本発明は、上述した問題を克服すること、及び、装置の外側からアクセスされ得るモジュール・ユニットを備えた改善された装置を与えることを目的とする。
【課題を解決するための手段】
【０００５】
上述した目的を達成するよう、本発明に従った装置は、本発明に従った特性を有し、本発明に従った装置が、以下に特定するように特徴付けられ得るようにされる。即ち、
モジュール・ユニットを備えた装置であって、該モジュール・ユニットは、操作位置に位置付けられ、装置の外側からアクセスされ得、モジュール・ユニットが少なくとも１つの他の操作位置に位置付けられ得、その場合も装置の外側からアクセスされ得ることに特徴付けられる。
【０００６】
本発明に従った特性を与えることによって、例えば、装置の外側からアクセスされ得るネットワーク・ジャックであり得る本発明に従った装置のモジュール・ユニットは、任意に多種の操作位置に位置付けられ得るため常にアクセス可能である、という有利性が得られる。その結果として、一方では、例えばより容易な操作及び取扱いが、モジュール・ユニット及び／又は装置で達成され得、これは非常に実用的且つ有利である。又は他方では、モジュール・ユニットが、所望される理由で、装置が購入される際に初期に露呈している又は顕著であるため販売を促進する操作位置で位置付けられる場合、装置のユーザは、モジュール・ユニットを個人利用のために、モジュール・ユニットが露呈してはいないが十分に保護されている異なる操作位置にモジュール・ユニットを置く機械を与えられる。本発明に従った装置では、外部のアクセスから十分に保護されて以前に位置付けられたモジュール・ユニットが、保護がより少ないが容易に且つ単純に到達され得る操作位置に置かれることも可能である。
【０００７】
請求項２記載の特性が本発明に従った装置に追加的に与えられる場合は有利であることが証明されている。これは、モジュール・ユニットの位置付け用の単純な構造的な設計に関しては有利である。
【０００８】
本発明に従った装置では、モジュール・ユニットは、１つの操作位置から少なくとも１つの他の操作位置へとモジュール・ユニットを動かすよう、手動でとらえられ得る。操作位置では、モジュール・ユニットは保持手段を用いて各操作位置に保持される。請求項３に記載の特性が与えられた場合、非常に有利であることが証明されている。結果として、信頼性が高く平滑な適応性が達成される。
【０００９】
請求項４記載の特性が本発明に従った装置に与えられる場合、非常に有利であることが証明されている。これは、モジュール・ユニットの担体の単純且つ小型の実施又は構造的な設計に関しては、特に有利である。
【００１０】
更に、請求項５記載の特性が本発明に従った装置に与えられる場合、有利であることが証明されている。これは、多数の異なる操作位置でのモジュール・ユニットの単純な位置付けに関しては、特に有利である。
【００１１】
本発明に従った装置では、各場合において想定されていない操作位置は、装置の光学的性質に特に合致される適切且つ個別の適合する部分を用いて適切な場所で閉じられるか、又は覆われ得る。請求項６記載の特性が与えられる場合、非常に有利であることが証明されている。結果として、各場合で想定されていない操作位置の単純且つ信頼性の高い覆いが可能にされる。
【発明を実施するための最良の形態】
【００１２】
本発明の上述の面及び更なる面は、以下に説明される実施例から明らかになり、これらの実施例を使って説明される。
【００１３】
本発明は、図面に図示される実施例を参照して更に説明されるが、本発明を制限するものではない。
【００１４】
図１は音響装置１を図示する。音響装置１は、データ・ネットワークにわたって送信される音響信号を再生するよう設計される。音響装置１は、筐体２を有し、筐体２は、前方壁２ａ、後方壁２ｂ、上方壁２ｃ、下方壁２ｄ、及び２つの側壁２ｅを有する。制御パネル３及びディスプレイ・ユニット４は、アクセスされ得且つ可視であるよう前方壁２ａに適合される。制御パネル３は、多数のボタンを有し、ボタンを用いて音響装置１は操作され得る。ディスプレイ・ユニット４は、メッセージ又は音響装置１の操作状態を表示するよう働き、本場合では、ドットマトリクス・ディスプレイ・ユニットとして既知のものによって形成される。後方壁２ｂには、ソケット（図示せず）があり、ソケットを用いて音響装置１は、電力を与えられ得る。
【００１５】
音響装置１は、更に、筐体２に受容されるインターネット音響モジュール５を更に有し、インターネット音響モジュール５は、無線信号、及び／又は、データ・ネットワークにわたる音響信号を受信するよう設計される。かかるインターネット音響モジュール５は、例えば、型指定ＭＣ−ｉ２００を有する上述された音響装置より既知である。ネットワーク・ジャック６は、データ・ネットワークにインターネット音響モジュール５を接続するよう与えられ、ネットワーク・ジャック６を用いて、インターネット音響モジュール５は、概略的に図示された接続手段７に接続される。ネットワーク・ジャック６は、ローカルエリアネットワーク接続として設計され、ＲＪ−４５コネクタとして既知であるものを受容するよう設計される。ネットワーク・ジャック６は、音響装置のモジュール・ユニットを形成する。ローカルエリアネットワーク接続の代わりに、ユニバーサル・シリアル・バス（ＵＳＢ）接続、及び／又は、ＩＥＥＥ１３９４標準（ＦｉｒｅＷｉｒｅ）に従った接続が与えられ得ること、また、音響装置では、異なる機能を有するモジュールがこれらの接続のうちの１つに接続され得ることが、言及され得る。
【００１６】
音響装置１は、更に、並列パイプ型の矩形のアーム８を、モジュール・ユニットの担体として有する。アーム８は、第１の端部８ａ及び第２の端部８ｂを有し、第１の端部はベアリング・スピンドル９に接続され、それを用いてアーム８の回転が可能にされる。ベアリング・スピンドル９は、回転可能なように下方壁２ｄ上に取り付けられ、この場合は前方壁２ａと後方壁２ｂとの間の略形状中心に配置され、ベアリング・スピンドル９は、前方壁２a及び後方壁２ｂに対して平行に置かれる。アーム８の第２の端部８ｂの領域では、ネットワーク・ジャック６は、モジュール・ユニットとして適合される。ネットワーク・ジャック６は、この場合、第１の操作位置でアーム８を用いて位置付けられる。第１の位置では、ネットワーク・ジャック６は、筐体２の前方壁２ａでカットアウト１０を介して筐体２の外側からアクセスされ得る。有利には、これは、ネットワーク・ジャック６は、前方壁２ａを介して前方からアクセスされ得ることを意味し、音響装置１のユーザは、音響装置１又はインターネットの音響モジュール５のデータ・ネットワークへの接続を比較的早く且つ便利に作り得るようにし、特にはデータ・ネットワークのコネクタをネットワーク・ジャック６に差し込むことによって、音響装置１を操作する必要、即ち動かす必要がない。これは、例えば、データ・ネットワークのコネクタもまた他の装置のデータ・ネットワークのコネクタに差し込まれるべきである際に、有利であり得る。
【００１７】
音響装置１の前部の領域でのデータ・ネットワーク・ジャックのかかる第１の操作位置の追加的な有利性は、ネットワーク接続が、ネットワーク・ジャック６の存在によって、かかる音響装置１の潜在的顧客に対して有利に売り込まれ得ることである。
【００１８】
例えば、音響装置１の前部の領域のネットワーク接続が既に所望されない又は有利とはみなされないという旨で、音響装置１のユーザの必要性が変化する場合、例えば、ネットワーク・コネクタが既に頻繁に及び／又は美観上の理由でプラグに差し込まれていない場合、音響装置１のユーザは、アーム８を回転することによって第２の操作位置にネットワーク・ジャック６を置く機会を有する。第２の操作位置では、ネットワーク・ジャック６は、後方から、又は後方壁２ｂを介して有利にアクセスされ得る。アーム８は、与えられた補助手段（詳細は図示せず）を使って手で回転される。後方壁２ｄを介して音響装置１の下方側から容易に回転する補助手段は、対応する開口部が下方壁２ｄに与えられるという事実によって可能とされる。
【００１９】
ネットワーク・ジャック６が第２の操作位置に有る際、カットアウト１０は、適切な合致部分１６を用いて適切なところで閉じられるか、又は覆われる。合致部分は、前面壁２ａの光学的性質に対して特に合致される。かかる合致部分１６は、例えば図２中の示された設計の通り、第１のアーム８に対向しておかれる第２のアーム１４を用いて、カットアウト１０を覆うよう対応する位置に置かれ得る。追加的な第２のアーム１４は、２つの脚部１４ａ及び１４ｂで形成される。２つの脚部１４ａ及び１４ｂは、各場合、２つのベアリング・スピンドル１５ａと１５ｂとの間にあるベアリング・スピンドル９を使って、夫々第２のベアリング・スピンドル１５ａ及び１５ｂに第１の脚部の端部で接続される。設計は、アーム１４及びアーム８が対向して回転され得るようにされ、アーム８は、２つの脚部１４ａと１４ｂとの間を通過できるようにされる。
【００２０】
アーム８、ベアリング・スピンドル９、カットアウト１０の形状又は設計、及び、ベアリング・スピンドル９の位置及びアーム８の回転の可能性を変更又は適応させる方法は、当業者によっては容易に理解されることが、言及されるべきである。
【００２１】
固定手段が与えられ得ることは、更に言及されるべきである。かかる固定手段を用いて、アーム８は、操作位置が到達されるとすぐに固定され得る。ラッチ装置は、固定手段として与えられ得る。
【００２２】
アーム８は、ギアを介してモータを用いて自動的に回転され得ることが言及され得る。かかる自動的な回転は、制御パネル３上のボタンによって作動され得る。結果として、有利には、アーム８の手動の回転の場合は要求された開口部が必要とされない。
【００２３】
ベアリング・スピンドルの代わりに、ボールソケット接着部が与えられ得ることが、更に言及されるべきである。その結果として、夫々の操作位置でのネットワーク・ジャック６の位置付け又は空間的配列に関して、追加的な自由度が与えられる、という有利性が得られる。
【００２４】
異なる機能性を有するインターネット音響モジュール５又は他のモジュールは、モジュール・ユニットに接続され、アーム８上又はアーム８内に受容され得る。即ち、モジュールは、接続手段７を設計することができるよう、ネットワーク・ジャック６の直接周辺に位置され得るということであり、接続手段７上で改善された歪みのない信号の送信を促進するよう、比較的短くされる。
【００２５】
図３に図示する本発明に従った第２の実施例は、図１に図示された実施例とは異なる。図３中、アーム８及びベアリング・スピンドル９の代わりに、円筒形ディスク型部品１１がモジュール・ユニット用の担体として与えられる。部品１１を用いてモジュール・ユニットは、多種の操作位置に位置付けられ得る。円筒形部品１１は、下方壁２ｄに対して原則的に垂線である軸１２の周囲を回転できるよう取り付けられる。モジュール・ユニットは、本場合ではまたネットワーク・ジャック６であり、部品１１に接続され、かかる場合では、側面１３の領域に受容され、円筒形部品１１とともに動くことが出来るようにされる。ネットワーク・ジャック６は、円筒形部品１１の上方面の領域に同様に適合され得ることが、言及されるべきである。
【００２６】
ネットワーク・ジャック６及び円筒形部品１１は、第１の操作位置に位置付けられ、ネットワーク・ジャック６が、筐体２の前面壁２ａでカットアウト１０を介して音響装置１の外側からアクセスされ得るようにされる。円筒形部品１１及び必然的にネットワーク・ジャック６は、環境が求められる場合、特に部品１１を回転することによって、他の操作位置に置かれ得る。円筒形部品１１としての担体の本設計を用いて、ネットワーク・ジャック６は、後方又は後方壁２ｂの領域にのみではなく、２つの側壁２ｅの一方にも置かれ得るという状況が有利に達成される。
【００２７】
各場合で想定されていない操作位置を覆う適合部品は、側面１３上に適合され得ることが言及されるべきである。
【００２８】
上述の実施例では、音響装置が使用される。かかる有利な測定は、ＴＶセット、ビデオ・レコーダ、ハードディスク・レコーダ、セットトップボックス、パーソナルコンピュータ、又はラップトップ型コンピュータの場合、又はジャックを有する他の装置の場合にもまた、適用され得ることが、言及されるべきである。
【００２９】
上述された解決策では、少なくとも２つの操作位置の間で調整され得る構成部品は、各場合、ジャックによって形成される。モジュール・ユニットもまた、ジャックへの接続用のコネクタによって形成され得ることが、言及されるべきである。
【００３０】
ディスプレイ・ユニットが調整可能なモジュール・ユニットとして与えられ得ることが、更に言及されるべきである。ディスプレイ装置は、例えば、前方壁の領域に位置決めされる操作位置と、上方壁の領域に位置決めされる操作位置との間で調整され得、前方からの快適な見え方、又は上方からの快適な見え方のいずれかを確実にするようにされる。
【００３１】
更には、装置を操作する制御ユニットが調整可能なモジュール・ユニットとして与えられ得ることが、更に言及されるべきである。モジュール・ユニット、即ち制御パネルは、例えば、前方壁の領域に位置決めされる操作位置と、上方壁の領域に位置決めされる操作位置との間で調整され得、前方からの快適な操作、又は上方からの快適な操作のいずれかを可能にする確実にするようにされる。
【００３２】
本発明に従った装置では、モジュール・ユニットを１つの操作位置から少なくとも１つの他の操作位置に動かすよう、モジュール・ユニットが手動でとらえられなければならないことが、更に規定され得る。モジュール・ユニットは、保持手段を用いて各操作位置に保持され、モジュール・ユニット用に担体が必要とされないようにされる。
【００３３】
モジュール・ユニットは、また、物理ユニットとして称され得ることが、言及され得る。
【図面の簡単な説明】
【００３４】
【図１】モジュール・ユニット用の担体として回転アームを有する本発明の第1の実施例に従った装置を、部分的に概略的に斜位像で図示する。
【図２】図１に図示された装置用の回転アームの他の設計を、部分的に概略的に平面図で図示する。
【図３】回転部分を用いて位置付けされ得るモジュール・ユニットを有する本発明の第2の実施例に従った装置を、部分的に概略的に斜位像で図示する。
【図１】
2006526256.tif 000003
【図２】
2006526256.tif 000004
【図３】
2006526256.tif 000005
【国際調査報告】
2006526256.tif 000006
2006526256.tif 000007